(57)【要約】【課題】効率良く耕耘作業ができる農作業機を提供する。【解決手段】農作業機１は、トラクタの走行により前方に移動しながら耕耘作業をするものである。農作業機１は、トラクタの後部に脱着可能に連結する機体２を備える。機体２には、ウイング23を有する耕耘作業体７を設ける。ウイング23は、後端側が下方側に向かうように、折れ線Ａに沿って曲がった形状となっている。【選択図】図１
2015195766.tif 000002
【特許請求の範囲】
【請求項１】
走行車の走行により前方に移動しながら耕耘作業をする農作業機であって、
前記走行車に連結される機体と、
この機体に設けられ、ウイングを有する耕耘作業体とを備え、
前記ウイングは、後端側が下方側に向かうように曲がった形状となっている
ことを特徴とする農作業機。
【請求項２】
ウイングは、後端側が下方側に向かうように曲げられた曲板状のウイング本体部を有し、
前記ウイング本体部は、前側の作用板部分と後側の非作用板部分とにて構成されている
ことを特徴とする請求項１記載の農作業機。
【請求項３】
ウイング本体部の作用板部分は、前下り傾斜状の作用面を上面に有し、
ウイング本体部の非作用板部分は、後下り傾斜状の非作用面を上面に有する
ことを特徴とする請求項２記載の農作業機。
【請求項４】
非作用板部分の非作用面は、平面状に形成されている
ことを特徴とする請求項３記載の農作業機。
【請求項５】
非作用板部分の非作用面は、上方に凸の湾曲面状に形成されている
ことを特徴とする請求項３記載の農作業機。
【発明の詳細な説明】
【技術分野】
【０００１】
本発明は、効率良く耕耘作業ができる農作業機に関するものである。
【背景技術】
【０００２】
従来、例えば下記の特許文献１に記載された農作業機が知られている。
【０００３】
この従来の農作業機は、トラクタ等の走行車に連結される機体と、この機体に設けられた複数（例えば６つ）の耕耘作業体とを備えている。また、各耕耘作業体は、支持アームの下端部に取り付けられたウイングを有し、このウイングのウイング本体部が平板状に形成されている。
【先行技術文献】
【特許文献】
【０００４】
【特許文献１】特開２０１３−１１８８２６号公報
【発明の概要】
【発明が解決しようとする課題】
【０００５】
しかしながら、上記従来の構成では、圃場の土質等によっては、走行抵抗の増大により走行車の馬力不足が生じて、効率良く耕耘作業ができないおそれがある。
【０００６】
本発明は、このような点に鑑みなされたもので、効率良く耕耘作業ができる農作業機を提供することを目的とする。
【課題を解決するための手段】
【０００７】
請求項１記載の農作業機は、走行車の走行により前方に移動しながら耕耘作業をする農作業機であって、前記走行車に連結される機体と、この機体に設けられ、ウイングを有する耕耘作業体とを備え、前記ウイングは、後端側が下方側に向かうように曲がった形状となっているものである。
【０００８】
請求項２記載の農作業機は、請求項１記載の農作業機において、ウイングは、後端側が下方側に向かうように曲げられた曲板状のウイング本体部を有し、前記ウイング本体部は、前側の作用板部分と後側の非作用板部分とにて構成されているものである。
【０００９】
請求項３記載の農作業機は、請求項２記載の農作業機において、ウイング本体部の作用板部分は、前下り傾斜状の作用面を上面に有し、ウイング本体部の非作用板部分は、後下り傾斜状の非作用面を上面に有するものである。
【００１０】
請求項４記載の農作業機は、請求項３記載の農作業機において、非作用板部分の非作用面は、平面状に形成されているものである。
【００１１】
請求項５記載の農作業機は、請求項３記載の農作業機において、非作用板部分の非作用面は、上方に凸の湾曲面状に形成されているものである。
【発明の効果】
【００１２】
本発明によれば、耕耘作業体のウイングは、後端側が下方側に向かうように曲がった形状となっているため、ウイングによる走行抵抗を減少でき、効率良く耕耘作業ができる。
【図面の簡単な説明】
【００１３】
【図１】本発明の第１の実施の形態に係る農作業機の側面図である。
【図２】同上農作業機の平面図である。
【図３】同上農作業機の斜視図である。
【図４】同上農作業機の耕耘作業体の側面図である。
【図５】同上耕耘作業体のウイングを示す図で、（ａ）が側面図、（ｂ）が平面図である。
【図６】本発明の第２の実施の形態に係る農作業機の耕耘作業体のウイングを示す図で、（ａ）が側面図、（ｂ）が平面図である。
【図７】本発明の第３の実施の形態に係る農作業機の耕耘作業体のウイングを示す図で、（ａ）が側面図、（ｂ）が平面図である。
【発明を実施するための形態】
【００１４】
本発明の第１の実施の形態について図１ないし図５を参照して説明する。
【００１５】
図中の１は農作業機で、この農作業機１は、例えば走行車であるトラクタ（図示せず）の後部に連結され、このトラクタの走行により圃場を前方（進行方向）に比較的高速で移動しながら耕耘作業、すなわち例えば粗起し作業をする耕耘作業機である。
【００１６】
なお、農作業機１の作業深さ（耕耘深さ）ｆは、例えば８〜２５ｃｍ、好ましくは１０〜１５ｃｍである。
【００１７】
農作業機１は、図１ないし図３に示されるように、トラクタの後部の３点リンク部（作業機昇降支持装置）に脱着可能に連結される機体２を備えている。
【００１８】
機体２は、トラクタ連結部３を前部に有し、このトラクタ連結部３がトラクタの３点リンク部に脱着可能に連結される。また、機体２は、互いに離間対向する左右対をなす前後方向長手状のフレーム板部４を有している。両フレーム板部４には、それぞれ左右方向長手状をなす互いに平行な前フレーム部５および後フレーム部６が架設されている。
【００１９】
そして、これらフレーム部５，６の複数箇所、例えば５箇所には、下端側が圃場の土中に挿入された状態で、トラクタの走行により前方に移動しながら粗起し作業（耕耘作業）をする耕耘作業体７が設けられている。つまり、機体２のフレーム部５，６の取付板８に、耕耘作業体７の上端部が脱着可能に取り付けられている。なお、これら複数（例えば５つ）の耕耘作業体７は、すべて同じ構成のものである。
【００２０】
また、機体２の両フレーム板部４の後端部には、耕耘作業体７の後方で鎮圧作業をする鎮圧輪（転圧輪）11が設けられている。この鎮圧輪11は、両フレーム板部４の後端部に高さ調整可能に取り付けられた支持フレーム12と、この支持フレーム12にて左右方向の軸部14を中心として回転可能に支持された鎮圧輪本体13とを有している。
【００２１】
耕耘作業体７は、図４および図５（ａ）、（ｂ）にも示されるように、上下方向長手状でかつ後方に凸の湾曲状をなす支持部材である支持アーム（ビーム）21と、この支持アーム21の下端部前側に取り付けられ圃場の土を切削する板状のチゼル（切削爪）22と、支持アーム21の下端部後側に取り付けられこの支持アーム21の下端部両側面から後斜め側方に向かって突出した状態で圃場の土を切削する板状の左右対をなすウイング（翼刃）23と、支持アーム21の中間部前側に取付部材25を介して取り付けられ下方のチゼル22からの土（切削土）を受け入れて圃場表面の上方まで持ち上げて反転放てきする板状の樹脂製の反転板（ガイド板）24とを有している。
【００２２】
なお、左右対をなすウイング23は、平面視で後方に開口するＶ字状をなすように配置されている（図２参照）。つまり、左右の両ウイング23は、チゼル22の側方部の後方位置で圃場の土を切削する。なお、左側のウイング23と右側のウイング23とは、左右対称の構成となっている。
【００２３】
そして、ウイング23は、後端側が下方側に向かうように、前後方向中間の１本の折れ線Ａに沿って屈曲状に曲がった形状となっている。
【００２４】
すなわち、ウイング23は、曲げ加工が施されることによって、後端側が少し下方側に向かうように１本の折れ線Ａに沿って屈曲状に曲げられた曲板状のウイング本体部31を有しており、このウイング本体部31は、折れ線Ａの部分が頂点となる山型状に曲がった形状となっている。
【００２５】
また、このウイング本体部31の内側端部（支持アーム21側の長手方向端部）には、鉛直方向に沿った平板状の取付部32が立設されている。つまり、ウイング本体部31の内側端部から取付部32が上方に向かって突出しており、この取付部32がボルト等の取付手段（図示せず）によって支持アーム21の下端部側面に取り付けられる。なお、取付部32には、複数の取付用孔32aが形成されている。
【００２６】
ここで、ウイング本体部31は、前端部に刃部35が形成された前側の作用板部分33と、この作用板部分33の後方に位置する後側の非作用板部分34とにて構成されている。
【００２７】
作用板部分33は、平面視で前後方向長さ寸法が内側端部側から外側端部側に向かって徐々に減少する四角形状をなすもので、圃場の土を切削する作用部分である。この作用板部分33の内側端部には、取付部32が立設されている。そして、作用板部分33の上面には、前方に向かって徐々に下り傾斜する前下り傾斜状の作用面36が平面状に形成されている。なお、作用面36の前端部略全長が刃部35の上面となっている。
【００２８】
非作用板部分34は、平面視で前後方向長さ寸法が内側端部側から外側端部側に向かって徐々に増大する三角形状をなすもので、圃場の土を切削しない非作用部分である。つまり、この非作用板部分34は、ウイング本体部31の強度を確保するための部分であって、作用板部分33が変形しないようにこの作用板部分33を補強する部分である。そして、非作用板部分34の上面には、後方に向かって徐々に下り傾斜する後下り傾斜状（例えば水平に近い傾斜状）の非作用面37が平面状に形成されている。
【００２９】
そして、圃場の土を切削する前下り傾斜状の作用面（切削面）36と圃場の土を切削しない後下り傾斜状の非作用面（非切削面）37との境界に１本の折れ線Ａが位置しており、この折れ線Ａによって、ウイング本体部31の上面が作用面36と非作用面37とに２分割されている。この折れ線Ａは、平面視で左右方向に対して傾斜しており、この折れ線Ａの一端がウイング本体部31の内側端部の後端付近に位置し、かつ、この折れ線Ａの他端がウイング本体部31の外側端部における前後方向中央付近に位置している。
【００３０】
また、図５（ｂ）から明らかなように、ウイング本体部31の前端31aとウイング本体部31の後端31bとが、略平行に位置している。
【００３１】
さらに、図５（ａ）に示すように、ウイング本体部31の折れ角度は、角度αの範囲内の値あり、例えば５度〜４５度、好ましくは２０度である。なお、角度αは、側面視で作用面36の外側端部36aを通る線L1とウイング本体部31の前端31aを通る線L2とがなす角度である。
【００３２】
次に、上記農作業機１の作用等を説明する。
【００３３】
トラクタおよび農作業機１を使用して耕耘作業である粗起し作業をする場合、トラクタの３点リンク部に機体２のトラクタ連結部３を連結した後、圃場内で３点リンク部の作動により農作業機１全体を下降させ、耕耘作業体７の下端側を圃場の土中に挿入する。
【００３４】
そして、トラクタの走行により農作業機１を進行方向に向けて前方に移動させると、耕耘作業体７が粗起し作業をし、この後方で鎮圧輪11が回転しながら切削土を鎮圧する。
【００３５】
この作業時に、圃場の土中を移動するウイング23のウイング本体部31の作用板部分33の作用面36は、圃場の土を切削してこの切削土をやや持ち上げるが、非作用板部分34の非作用面37は、圃場の土を切削せずかつ作用面36による切削土にも接触しない。
【００３６】
このため、従来のウイング形状の構成に比べて、ウイング23の作用面36の面積が小さく、トラクタに対するウイング23による走行抵抗、すなわち圃場の土とウイング23との間の摩擦抵抗に基づく走行抵抗（トラクタにかかる牽引抵抗）が減少し、その結果、例えば馬力の小さな小型のトラクタであっても使用可能である。
【００３７】
このように、農作業機１によれば、耕耘作業体７のウイング23は、圃場の土との摩擦抵抗を減少すべく後端側が下方側に向かうように曲がった形状となっているため、強度を向上できるばかりでなく、トラクタに対するウイング23による走行抵抗を減少でき、よって、例えば小型のトラクタを使用した場合でも、トラクタの馬力不足が生じるようなことがなく、高速走行が可能であり、効率良く耕耘作業ができる。
【００３８】
また、ウイング23は後端側が下方側に向かうように曲げられた曲板状のウイング本体部31を有し、この曲板状のウイング本体部31は前側の作用板部分33と後側の非作用板部分34とにて構成されているため、簡単な構成であるにも拘わらず、ウイング23による走行抵抗を適切に減少でき、効率良く耕耘作業ができる。
【００３９】
さらに、ウイング本体部31の作用板部分33が前下り傾斜状の作用面36を上面に有し、かつウイング本体部31の非作用板部分34が後下り傾斜状の非作用面37を上面に有するため、ウイング23による走行抵抗をより一層適切に減少でき、より一層効率良く耕耘作業ができる。
【００４０】
また、ウイング23のウイング本体部31が曲板状であることから、平板状の場合に比べて所望の強度を容易に確保できるため、例えばウイング本体部31の板厚を薄くでき、材料費の低減を図ることができる。
【００４１】
さらに、ウイング23のウイング本体部31の曲げ位置（折れ線Ａの位置）を変えることによって、ウイング23にて切削された切削土の流れを調整することもできる。
【００４２】
なお、耕耘作業体７のウイング23は、例えば図６（ａ）および（ｂ）に示す形状でもよい。
【００４３】
このウイング23では、材料費の低減のため、図５のものに比べて、非作用板部分34が小さくなっている。つまり、このウイング23の非作用板部分34は、ウイング本体部31の後端31bと折れ線Ａとが略平行に位置した細長状に形成されている。
【００４４】
また、耕耘作業体７のウイング23は、例えば図７（ａ）および（ｂ）に示す形状でもよい。
【００４５】
このウイング23では、強度向上のため、非作用板部分34の非作用面37が上方に凸の湾曲面状（Ｒ形状）に形成されている。なお、例えば図示しないが、同様に作用板部分33の作用面36を上方に凸の湾曲面状に形成してもよい。
【００４６】
さらに、いずれの実施の形態においても、ウイング本体部31は、折れ線Ａに沿って屈曲状に曲げられたものには限定されず、例えば作用面36と非作用面37とが滑らかに連続するように、湾曲状に曲げられたものでもよい。
【００４７】
また、ウイング本体部31は、その長手方向全長（略全長を含む）にわたって曲げられたものには限定されず、例えばウイング本体部31の外側端部側（先端部側）のみにおいて、後端側が下方側に向かうように曲げられたものでもよい。
【００４８】
さらに、ウイング本体部31は、１本の折れ線に沿って曲げられたものには限定されず、例えば複数本の折れ線に沿って段階的に曲げられたものでもよい。
【００４９】
また、耕耘作業体７の本数は、任意であり、６本或いは８本等でもよく、また、耕耘作業体７による放てき方向が互いに異なるようにしてもよい。
【００５０】
さらに、農作業機１は、ウイングを有するものであれば、例えば心土層を破砕するサブソイラ等の心土破砕機であってもよい。
【００５１】
なお、本発明のいくつかの実施の形態およびその変形例について説明したが、本発明の要旨を逸脱しない範囲で、前記各実施の形態および各変形例を適宜組み合わせることも可能である。
【符号の説明】
【００５２】
１    農作業機
２    機体
７    耕耘作業体
23    ウイング
31    ウイング本体部
33    作用板部分
34    非作用板部分
36    作用面
37    非作用面
【図１】
2015195766.tif 000003
【図２】
2015195766.tif 000004
【図３】
2015195766.tif 000005
【図４】
2015195766.tif 000006
【図５】
2015195766.tif 000007
【図６】
2015195766.tif 000008
【図７】
2015195766.tif 000009